(57)【要約】【課題】量産性と低コスト性とに優れた気密容器及びそれを製造するための中間体を提供する。【解決手段】中間体10は、内容物を充填するための開口Ａを有する凹部２ａに外部に通じる取り出し口２ｂを設けた容器本体２に、凹部開口Ａを封じる下蓋３と、取り出し口２ｂを開閉する上蓋４とを一体に繋いでシート体とし、このシート体に、容器本体２と下蓋３との相互間に互いを重ね合わせるための第一の折り曲げ部Ｂ1を設けると共に、容器本体２と上蓋４との相互間に互いを揺動可能に重ね合わせるための第二の折り曲げ部Ｂ2を設けたものである。かかる中間体10により製造された密閉容器は、下蓋３を折り曲げ部Ｂ1を基点に折り曲げて凹部開口Ａを封じられ、取り出し口２ｂは、上蓋４を第二の折り曲げ部Ｂ2を基点に揺動させることにより開閉する。【選択図】図３
2006151465.tif 000002
【特許請求の範囲】
【請求項１】
内容物を充填するための開口を有する凹部に外部に通じる取り出し口を設けた容器本体と、この容器本体に第一の折り曲げ部を介して一体に繋がり前記凹部の開口を封じる下蓋と、前記容器本体に第二の折り曲げ部を介して揺動自在に一体に繋がり前記取り出し口を開閉する上蓋とを備えることを特徴とする一体型気密容器。
【請求項２】
内容物を充填するための開口を有する凹部に外部に通じる取り出し口を設けた容器本体と、この容器本体に第一の折り曲げ部を介して一体に繋がり前記凹部の開口を封じる下蓋と、この下蓋に第二の折り曲げ部を介して揺動自在に一体に繋がり前記取り出し口を開閉する上蓋とを備えることを特徴とする一体型気密容器。
【請求項３】
前記容器本体にフランジ部を設け、このフランジ部に内容物を取り出す器具を一体に設けたことを特徴とする請求項１又は２に記載の一体型気密容器。
【請求項４】
内容物を充填するための開口を有する凹部に外部に通じる取り出し口を設けた容器本体に、前記凹部の開口を封じる下蓋と、前記取り出し口を開閉する上蓋とを一体に繋いでシート体とし、このシート体に、前記容器本体と下蓋との相互間に互いを重ね合わせるための第一の折り曲げ部を設けると共に、前記容器本体と前記上蓋との相互間に互いを揺動可能に重ね合わせるための第二の折り曲げ部を設けたことを特徴とする一体型気密容器を製造するための中間体。
【請求項５】
内容物を充填するための開口を有する凹部に外部に通じる取り出し口を設けた容器本体と、前記凹部の開口を封じる下蓋と、前記取り出し口を開閉する上蓋とを順次一体に繋いでシート体とし、このシート体に、前記容器本体と下蓋との相互間に互いを重ね合わせるための第一の折り曲げ部を設けると共に、前記下蓋と前記上蓋との相互間に当該上蓋と容器本体とを揺動自在に重ね合わせるための第二の折り曲げ部を設けたことを特徴とする一体型気密容器を製造するための中間体。
【請求項６】
前記容器本体にフランジ部を設け、このフランジ部に内容物を取り出す器具を一体に設けたことを特徴とする請求項４又は５に記載の一体型気密容器を製造するための中間体。
【発明の詳細な説明】
【技術分野】
【０００１】
本発明は、内容物を充填するための開口を有する凹部に外部に通じる取り出し口を設けた容器本体と、前記凹部の開口を封じる下蓋と、前記取り出し口を開閉する上蓋とを備える気密容器及びそれを製造するための中間体に関するものである。
【背景技術】
【０００２】
気密容器は、錠剤、粉末洗剤などの湿気を嫌う内容物や、ウェットティッシュ等の蒸発を嫌う内容物を収納するために用いられる。このため、気密性を確保する容器としては様々なものが提案されている。
【０００３】
こうした気密容器には、主に、容器本体の凹部開口を別体の中栓と外蓋とにより封止するもの（例えば、特許文献１参照。）、容器本体の凹部開口を別体の底蓋により密閉嵌合すると共に前記凹部に設けた外部に通じる取り出し口を容器本体と別体の上蓋により開閉するもの（例えば、特許文献２参照。）や、容器本体の凹部開口を別体の上蓋により開閉自在に密閉嵌合するもの（例えば、特許文献３参照。）がある。
【特許文献１】実開平１−１２８５５４号公報
【特許文献２】特開平１１−２９２１１８号公報
【特許文献３】特開２０００−３２７００８号公報
【０００４】
しかしながら、気密容器は、そのほとんどが日常的に用いられるものであるため、短い時間に大量に生産することができる量産性と、単価が低く済む低コスト性とが重要な課題であることも事実である。
【発明の開示】
【発明が解決しようとする課題】
【０００５】
本発明の解決すべき課題は、上述した事実に鑑みてなされたものであり、量産性と低コスト性とに優れた気密容器及びそれを製造するための中間体を提供することにある。
【課題を解決するための手段】
【０００６】
請求項１に記載の発明は、内容物を充填するための開口を有する凹部に外部に通じる取り出し口を設けた容器本体と、この容器本体に第一の折り曲げ部を介して一体に繋がり前記凹部の開口を封じる下蓋と、前記容器本体に第二の折り曲げ部を介して揺動自在に一体に繋がり前記取り出し口を開閉する上蓋とを備えることを特徴とする一体型気密容器である。
【０００７】
また、請求項２に記載の発明は、内容物を充填するための開口を有する凹部に外部に通じる取り出し口を設けた容器本体と、この容器本体に第一の折り曲げ部を介して一体に繋がり前記凹部の開口を封じる下蓋と、この下蓋に第二の折り曲げ部を介して揺動自在に一体に繋がり前記取り出し口を開閉する上蓋とを備えることを特徴とする一体型気密容器である。
【０００８】
請求項３に記載の発明は、上記請求項１又は２において、前記容器本体にフランジ部を設け、このフランジ部に内容物を取り出す器具を一体に設けたことを特徴とする一体型気密容器である。
【０００９】
請求項４に記載の発明は、内容物を充填するための開口を有する凹部に外部に通じる取り出し口を設けた容器本体に、前記凹部の開口を封じる下蓋と、前記取り出し口を開閉する上蓋とを一体に繋いでシート体とし、このシート体に、前記容器本体と下蓋との相互間に互いを重ね合わせるための第一の折り曲げ部を設けると共に、前記容器本体と前記上蓋との相互間に互いを揺動可能に重ね合わせるための第二の折り曲げ部を設けたことを特徴とする一体型気密容器を製造するための中間体である。
【００１０】
請求項５に記載の発明は、内容物を充填するための開口を有する凹部に外部に通じる取り出し口を設けた容器本体と、前記凹部の開口を封じる下蓋と、前記取り出し口を開閉する上蓋とを順次一体に繋いでシート体とし、このシート体に、前記容器本体と下蓋との相互間に互いを重ね合わせるための第一の折り曲げ部を設けると共に、前記下蓋と前記上蓋との相互間に当該上蓋と容器本体とを揺動自在に重ね合わせるための第二の折り曲げ部を設けたことを特徴とする一体型気密容器を製造するための中間体である。
【００１１】
請求項６に記載の発明は、請求項４又は５において、前記容器本体にフランジ部を設け、このフランジ部に内容物を取り出す器具を一体に設けたことを特徴とする一体型気密容器を製造するための中間体である。
【発明の効果】
【００１２】
本発明に係る気密容器は、容器本体に第一の折り曲げ部を介して下蓋を一体に繋ぐと共に、第二の折り曲げ部を介して上蓋を一体に繋いで一つのパーツにしたことにより、容器本体に対して上蓋及び下蓋を別体に取り付ける際に要する製造工程が削減されるため、短時間に大量の気密容器を製造することができる。加えて、本発明に係る気密容器は、容器本体、上蓋及び下蓋の個々に製造する必要がないため、製造コストも低く抑えることができる。
【００１３】
従って、本発明に係る気密容器によれば、量産性と低コスト性とに優れた気密容器を提供することができる。なお、本発明に係る気密容器は、容器本体に第一の折り曲げ部を介して下蓋を一体に繋ぐ一方、この下蓋に第二の折り曲げ部を介して上蓋を一体に繋いで一つのパーツにしてもよい。この場合も、上記と同様の効果が得られる。
【００１４】
特に、本発明にあっては、容器本体にフランジ部を設け、このフランジ部に内容物を取り出す器具を一体に設ければ、この器具を別体に製造することで生じる製造工程の増加とコスト上昇を抑えることができるため、内容物を取り出す器具を付加した従来容器に比べて量産性とコスト性に優れる。しかも、使用者は、内容物を取り出すのに便利な器具を紛失することなく確実に利用することができる。
【００１５】
また、本発明に係る気密容器を製造するための中間体は、容器本体に、下蓋と上蓋とを一体に繋いだシート体であるから、互いに積み重ねておくことができるため、保管性及び流通性に優れる。なお、本発明に係る中間体は、容器本体、下蓋及び上蓋を順次一体に繋いだシート体としてもよく、この場合も、上記と同様の効果が得られる。
【発明を実施するための最良の形態】
【００１６】
図１は、本発明である気密容器１の一形態を示す斜視図であって、その一部展開図を図２に示す。
【００１７】
気密容器１は、図１に示す如く、その内部空間Ｒに球形の内容物Ｃを収納するものであって、図２に示す如く図中に示す矢印Ｄ1，Ｄ2の向きに折り曲げることにより形成される。
【００１８】
気密容器１は、シート成形によって成形される一体物である。図１及び図２に示す如く、符号２は容器本体であって、内容物Ｃを充填するための開口Ａを有する凹部２ａに外部に通じる取り出し口２ｂが設けられている。また、この容器本体２には、凹部２ａの開口を封じる下蓋３と、取り出し口２ｂを開閉する上蓋４とが一体に繋がっている。これにより、気密容器１は、その組み立て前の状態において容器本体２に対して下蓋３と上蓋４とが開いているため、容器本体２に下蓋３と上蓋４とをほぼ同一平面上に配したシート体の呈をなしている。
【００１９】
容器本体２と下蓋３との相互間には、互いに重ね合わせるための第一の折り曲げ部Ｂ1が設けられており、容器本体２と下蓋３との合わせ面は、接着、溶着等の手段により固定される。
【００２０】
更に、容器本体２と上蓋４との相互間には、互いに揺動自在に重ね合わせるための第二の折り曲げ部Ｂ2が設けられている。上蓋４と容器本体２の取り出し口２ｂの周囲は密に接するように構成されており、同状態を上蓋４の先端部４ａが容器本体２の周壁２ｃに圧接することにより閉蓋状態が維持され空間Ｒ内の密閉状態を維持するが、上蓋４を第二の折り曲げ部Ｂ2を基点に一定の力で揺動させると、取り出し口２ｂから離間して内容物Ｃの取り出しを可能にする。
【００２１】
即ち、気密容器１は、容器本体２に第一の折り曲げ部Ｂ1を介して下蓋３を一体に繋ぐと共に、第二の折り曲げ部Ｂ2を介して上蓋４を一体に繋いで一つのパーツにしたことにより、容器本体２に対して上蓋３及び下蓋４を別体に取り付ける際に要する製造工程が削減されるため、短時間に大量の気密容器を製造することができる。加えて、本発明気密容器１は、容器本体２、上蓋３及び下蓋４の個々に製造する必要がないため、製造コストも低く抑えることができる。
【００２２】
従って、気密容器１によれば、量産性と低コスト性とに優れた気密容器を提供することができる。また、気密容器１を製造するための中間体10は、容器本体２に、下蓋３と上蓋４とを一体に繋いだシート体であるから、互いに積み重ねておくことができるため、保管性及び流通性に優れる。
【００２３】
特に、本形態にあっては、容器本体２の周囲に、下蓋３に合わさるフランジ部２ｆを設け、このフランジ部２ｆに内容物を取り出す器具５を一体に設けている。この器具５は、楊枝、フォーク、ピンセット等であって、ランナ２ｆ1を介してフランジ部２ｆに取り外し可能に連結されている。かかる構成によれば、器具５を別体に製造することで生じる製造工程の増加とコスト上昇を抑えることができるため、内容物を取り出す器具５を付加した従来容器に比べて量産性とコスト性に優れる。しかも、使用者は、内容物を取り出すのに便利な器具５を紛失することなく確実に利用することができる。
【００２４】
図３は、本発明の他の形態に係る中間体を示す断面図である。なお、本形態において、図１，２と同一部分は同一符号をもってその説明を省略する。中間体10は、インジェクション成形によって成形される一体物である。図３において、符号２は、容器本体であって、内容物Ｃを充填するための開口Ａを有する凹部２ａに外部に通じる取り出し口２ｂが設けられている。また、この容器本体２には、凹部２ａの開口Ａを封じる下蓋３と、取り出し口２ｂを開閉する上蓋４とが一体に繋がっており、これにより、中間体10は、容器本体２に下蓋３と上蓋４とをほぼ同一平面上に配したシート体をなす。
【００２５】
容器本体２と下蓋３との相互間には、互いを重ね合わせるための第一の折り曲げ部Ｂ1が設けられており、容器本体２と下蓋３との合わせ面は、図示せぬ突起（又は突条）及び凹部（又は突起、突条）によるアンダーカット嵌合や圧入等より固定される。また、下蓋３の表面３ｆには、インナーリング３ｓが一体に立設し、このインナーリング３ｓが容器本体２の凹部開口Ａに合わさって凹部開口Ａと下蓋３との間の気密状態を維持する。なお、容器本体２と下蓋３との固定は、前記方法によりなされるが、これに、接着、溶着等の手段を加えて固定することも可能である。
【００２６】
更に、容器本体２と上蓋４との相互間には、互いを揺動自在に重ね合わせるための第二の折り曲げ部Ｂ2が設けられており、上蓋４の裏面４ｒには、インナーリング４ｓが一体に垂下している。このインナーリング４ｓは、上蓋４を容器本体２に合わせると、容器本体２の取り出し口２ｂに嵌合して空間Ｒ内の密閉状態を維持するが、上蓋４を第二の折り曲げ部Ｂ2を基点に一定の力で揺動させると、取り出し口２ｂから離間して内容物の取り出しを可能にする。
【００２７】
気密容器１の形成にあたっては、図に示す如く、下蓋３を矢印Ｄ1の向きに第一の折り曲げ部Ｂ1を基点に折り曲げて容器本体２にアンダーカット嵌合させる。この場合、下蓋３のインナーリング３ｓが容器本体２の凹部開口Ａに嵌合するため、容器本体２と下蓋３との合わせ面は気密状態に保たれる。一方、空間Ｒから内容物Ｃを取り出すために設けた取り出し口２ｂは、上蓋４を矢印Ｄ2の向きに第二の折り曲げ部Ｂ2を基点に折り曲げて容器本体２に合わせることにより閉じられる。この場合、上蓋４のインナーリング４ｓが取り出し口２ｂに嵌合するため、容器本体２と上蓋４との合わせ面も気密状態に保たれる。
【００２８】
即ち、気密容器１は、容器本体２に第一の折り曲げ部Ｂ1を介して下蓋３を一体に繋ぐと共に、第二の折り曲げ部Ｂ2を介して上蓋４を一体に繋いで一つのパーツにしたことにより、容器本体２に対して上蓋３及び下蓋４を別体に取り付ける際に要する製造工程が削減されるため、短時間に大量の気密容器を製造することができる。加えて、本発明気密容器１は、容器本体２、上蓋３及び下蓋４の個々に製造する必要がないため、製造コストも低く抑えることができる。
【００２９】
従って、気密容器１によれば、量産性と低コスト性とに優れた気密容器を提供することができる。また、気密容器１を製造するための中間体10は、容器本体２に、下蓋３と上蓋４とを一体に繋いだシート体であるから、互いに積み重ねておくことができるため、保管性及び流通性に優れる。
【００３０】
図４は、本発明の更に他の形態を示す斜視図であって、下蓋３を折り曲げる前の展開図である。本形態においては、下蓋３を容器本体２に対して上蓋４と整列しない位置に一体に設けている。なお、本形態において、図１〜３と同一部分は同一符号をもってその説明を省略する。
【００３１】
更に図５は、本発明に係る中間体の他の形態を示す断面図である。この中間体20も、インジェクション成形によって成形される一体物であって、容器本体２と下蓋３と上蓋４とが順次一体に繋がっており、容器本体２に下蓋３と上蓋４とをほぼ同一平面上に配したシート体をなす。
【００３２】
本形態においても、容器本体２と下蓋３との相互間には、互いを重ね合わせるための第一の折り曲げ部Ｂ1が設けられており、その合わせ面も、図示せぬ突起（又は突条）及び凹部（又は、突起、突条）によるアンダーカット嵌合や圧入等より固定される。また、下蓋３の表面３ｆには、インナーリング３ｓが一体に立設し、このインナーリング３ｓが容器本体２の凹部開口Ａに合わさって凹部開口Ａと下蓋３との間の気密状態を維持する。なお、本形態においても、容器本体２と下蓋３との固定にあたり、接着、溶着等の手段を加えることが可能である。
【００３３】
更に、下蓋３と上蓋４との相互間には、上蓋４と容器本体２とを揺動自在に重ね合わせるための第二の折り曲げ部Ｂ2が設けられており、上蓋４の裏面４ｒには、インナーリング４ｓが一体に垂下している。このインナーリング４ｓは、上蓋４を容器本体２に合わせると、容器本体２の取り出し口２ｂに嵌合して空間Ｒ内の密閉状態を維持するが、上蓋４を第二の折り曲げ部Ｂ2を基点に一定の力で揺動させると、取り出し口２ｂから離間して内容物の取り出しを可能にする。
【００３４】
気密容器の形成にあたっては、中間体20の第一折り曲げ部Ｂ1と第二折り曲げ部Ｂ2とを図中の矢印Ｄ3に示す向きに順次折り曲げて、下蓋３と上蓋４とを容器本体２周りに順次巻きつける。これにより、中間体20によっても図１と同様の気密容器を形成することができる。即ち、本形態の如く、容器本体２、下蓋３及び上蓋４を順次一体に繋いだシート体からなる中間体20であっても、中間体10と同様の効果が得られる。また、かかる中間体20によって形成された気密容器も、容器本体２に第一の折り曲げ部Ｂ1を介して下蓋３を一体に繋ぐ一方、この下蓋３に第二の折り曲げ部Ｂ2を介して上蓋４を一体に繋いだ一つのパーツにしてなるから、第二の形態と同様の効果が得られる。
【００３５】
上述したところは、本発明の好適な形態を例示したに過ぎず、特許請求の範囲内において、様々な変更を加えることができる。例えば、容器本体２と下蓋３とは、インジェクション成形による場合でも、アンダーカット嵌合を用いず、接着剤を用いた接着や加熱や超音波による溶着等のみにより固定してもよい。
【図面の簡単な説明】
【００３６】
【図１】本発明である気密容器の第一の形態を示す斜視図である。
【図２】図１の一部展開図である。
【図３】同形態である気密容器を製造するための他の成形方法に基づく中間体を示す断面図である。
【図４】本発明の更に他の形態を示す斜視図であって、下蓋を折り曲げる前の展開図である。
【図５】本発明に係る中間体の他の形態を示す断面図である。
【符号の説明】
【００３７】
１    気密容器
２    容器本体
２ａ  凹部
２ｂ  取り出し口
２ｆ  フランジ部
３    下蓋
３ｓ  インナーリング
４    上蓋
４ｓ  インナーリング
５    取り出し器具
Ｂ1   第一の折り曲げ部
Ｂ2   第二の折り曲げ部
【図１】
2006151465.tif 000003
【図２】
2006151465.tif 000004
【図３】
2006151465.tif 000005
【図４】
2006151465.tif 000006
【図５】
2006151465.tif 000007